(57)【要約】【課題】像面湾曲を変化させ且つ小型化を達成する像面湾曲調整装置、およびこれをズームレンズとして搭載して高画質の画像を得ることができる撮像装置を提供すること。【解決手段】物体側から順に絞りと固定のリレーレンズを有し、固定のリレーレンズ内の任意の箇所にアフォーカル系を設け、アフォーカル系に入射した近軸軸上光線の高さがアフォーカル系から射出した近軸軸上光線の高さより高く、アフォーカル系が調整レンズ群として光軸方向に移動可能とする。【選択図】図４
2016024344.tif 000002
【特許請求の範囲】
【請求項１】
物体側から順に絞りと固定のリレーレンズを有し、固定のリレーレンズ内の任意の箇所にアフォーカル系を設け、アフォーカル系に入射した近軸軸上光線の高さがアフォーカル系から射出した近軸軸上光線の高さより高く、アフォーカル系が調整レンズ群として光軸方向に移動可能とすることを特徴とする像面湾曲調整装置。
【請求項２】
次なる条件式を満足する事を特徴とする請求項１に記載の像面湾曲調整装置。
１  ＜  h1/h2  ＜  1.2
但し、
h1：アフォーカル系に入射する近軸軸上光線の高さ
h2：アフォーカル系から射出する近軸軸上光線の高さ
【請求項３】
次なる条件式を満足することを特徴とする請求項２に記載の像面湾曲調整装置。
｜α/(σ・Fno)｜  ＜  0.4 (1/mm)
但し、
α：アフォーカル系に入射する近軸軸上光線の傾き
σ：撮像装置の許容錯乱円
Fno：撮像装置のFno
【請求項４】
次なる条件式を満足する事を特徴とする請求項３に記載の像面湾曲調整装置。
5.6  ＜  (φi・ｄi  ) / fw2  ＜  8.0    
但し、
φi：撮像素子の対角の長さ 
di：絞りからアフォーカル系の最も物体側レンズまでの長さ
fw:撮像装置のWide端焦点距離
【請求項５】
次なる条件式を満足することを特徴とする請求項４に記載の像面湾曲調整装置。
4.3  ＜  dl2 / ｄs1  ＜  5.0
但し、
dl2：リレーレンズ部の長さ
dsl：アフォーカル系の長さ
【請求項６】
アフォーカル系より像面側に非球面レンズがあることを特徴とする請求項５に記載の像面湾曲調整装置。
【請求項７】
フォーカシングレンズと変倍レンズを備えたズームレンズにおいて、フォーカシングレンズの位置を検出する第１検出器と、変倍レンズの位置を検出する第２検出器と、フォーカシングレンズの位置と変倍レンズの位置の組み合わせに対応したアフォーカル系の移動量を記憶させた像面湾曲補正情報を備え、第１検出器と第２検出器から読みだされた位置と像面湾曲補正情報からアフォーカル系の移動量を算出し、アフォーカル系を光軸方向に移動することを特徴とする請求項６に記載の像面湾曲装置。
【請求項８】
請求項７に記載の像面湾曲装置をズームレンズとして備えたことを特徴とする撮像装置。
【発明の詳細な説明】
【技術分野】
【０００１】
本発明は、被写体や背景の周辺の描写性を変化させるために可動の調整レンズ群を備えた像面湾曲調整装置および撮像装置に関するものである。TV(テレビジョン)放送用のテレビカメラや撮像用のビデオカメラ、デジタルカメラ、デジタルシネマ等に好適なレンズ及びそれを有する撮像装置に関する。
【背景技術】
【０００２】
従来よりテレビカメラやデジタルシネマ用のレンズとして、開口絞りをはさんで物体側に変倍用のレンズ群（変倍部）と、像側にリレー用のレンズ群（リレー部）とを配置した構成のレンズが知られている。
【０００３】
特許文献１には、全体として４群構成で、第４群をリレー部としたズームレンズの構成が開示されている。被写体像の周辺性能を任意に変化させるため、リレー部の一部に像面湾曲に敏感度を有する調整レンズ群を設け光軸方向に移動させる構成としている。
【０００４】
特許文献２には、内視鏡の対物レンズの構成が開示されている。観察対象物の位置や形状に応じて像面湾曲を適宜調整するため、対物レンズの一部に像面湾曲に敏感度を有する調整レンズ群とバックフォーカスに敏感度を有する調整レンズ群を設けて補正する構成となっている。
【先行技術文献】
【特許文献】
【０００５】
【特許文献１】特許第２７７３８２０号公報
【特許文献２】特開２００２−２７７７３５号公報
【発明の概要】
【発明が解決しようとする課題】
【０００６】
TV(テレビジョン)放送用のレンズ交換式カメラ等に用いられるレンズ装置には、像面湾曲特性を有するため、光軸以外の部分の像は必ずしも鮮鋭な像になるとは言えない。すなわち収差が残存する場合には光軸からの距離に応じて像面が湾曲する特性を有するので、光軸付近では鮮鋭な像となるものの、光軸から離れた位置ではピントがぼけた像となる。
【０００７】
これらの対策として、撮像素子を物理的に湾曲させ像面湾曲を補正する方法や、レンズ系の中に像面湾曲に敏感度を有する調整レンズ群を設け、その調整レンズ群を光軸方向に移動することで像面湾曲を補正する方法が存在する。しかし、撮像素子を物理的に湾曲する方法は撮像素子がフィルムからCCD、CMOS（固体撮像素子）へ移行したため実施することは困難である。また、調整レンズ群を光軸方向に移動する方法において現在開示されているレンズ構成では、像面湾曲の敏感度が低いため別途移動スペースを確保する必要が生じてしまう課題がある。
【０００８】
一方、デジタルシネマ等の分野では主要被写体を際立たせるため、周辺性能（像面湾曲）の描写性が美的観点における評価の対象となっている。一般的にデジタルシネマ用のレンズは周辺性能の光学性能が高くコントラストが高いため、被写体の輪郭が明瞭であり過ぎる場合がある。そのため中心性能を変えずに周辺性能のみを変化させ描写性を可変する方法が望まれていた。しかし、周辺性能のみを変化させ且つレンズの小型化を両立する事は困難であった。
【０００９】
上記より、周辺性能を大きく変化させ且つレンズの小型化を達成する像面湾曲調整装置が望まれている。特許文献１における像面湾曲調整装置では、レンズの小型化と像面湾曲を変化させることの両立が不十分であった。また、特許文献２における像面湾曲調整装置では、複数の調整レンズ群を可動とするため、構成が複雑になり好ましくない。
【００１０】
本発明はかかる問題点に鑑みてなされたものである。その目的は、像面湾曲を変化させ且つ小型化を達成する像面湾曲調整装置、およびこれをズームレンズとして搭載して高画質の画像を得ることができる撮像装置を提供することにある。
【課題を解決するための手段】
【００１１】
上記目的を達成するために、本発明に係る像面湾曲調整装置は、物体側から順に絞りと固定のリレーレンズを有し、固定のリレーレンズ内の任意の箇所にアフォーカル系を設け、アフォーカル系に入射した近軸軸上光線の高さがアフォーカル系から射出した近軸軸上光線の高さより高く、アフォーカル系が調整レンズ群として光軸方向に移動可能とすることを特徴とする。
【００１２】
また、本発明に係る撮像装置は、上記像面湾曲装置をズームレンズとして備えたことを特徴とする。
【発明の効果】
【００１３】
本発明によれば、像面湾曲を大きく変化させ且つ小型化を達成する像面湾曲調整装置、およびこれをズームレンズとして搭載して高画質の画像を得ることができる撮像装置を得ることができる。
【図面の簡単な説明】
【００１４】
【図１】像面湾曲調整装置を示す概念図である。
【図２】アフォーカル倍率＞１の時の近軸追跡の概念図である。
【図３】アフォーカル倍率＜１の時の近軸追跡の概念図である。
【図４】実施例１に対応するレンズ断面図である。
【図５】実施例２に対応するレンズ断面図である。
【図６】実施例３に対応するレンズ断面図である。
【図７】実施例４に対応するレンズ断面図である。
【図８】実施例５に対応するレンズ断面図である。
【図９】実施例１におけるズームレンズの広角端における諸収差を示す収差図である。
【図１０】実施例２におけるズームレンズの広角端における諸収差を示す収差図である。
【図１１】実施例３におけるズームレンズの広角端における諸収差を示す収差図である。
【図１２】実施例４におけるズームレンズの広角端における諸収差を示す収差図である。
【図１３】実施例５におけるズームレンズの広角端における諸収差を示す収差図である。
【図１４】像面湾曲補正システムに関する概念図である。
【発明を実施するための形態】
【００１５】
以下、本発明の実施形態に係る像面湾曲調整装置を説明する。図１は像面湾曲調整装置を示す概念図、図２はアフォーカル倍率＞１の時の近軸追跡の概念図、図３はアフォーカル倍率＜１の時の近軸追跡の概念図である。本発明の実施形態に係る像面湾曲調整装置は、物体側から順に絞りと固定のリレーレンズを有し、固定のリレーレンズ内の任意の箇所にアフォーカル系を設け、アフォーカル系に入射した近軸軸上光線の高さがアフォーカル系から射出した近軸軸上光線の高さより高く、アフォーカル系が調整レンズ群として光軸方向に移動可能とする。
【００１６】
また、以下の条件式を満足することが好ましい。
【００１７】
1  ＜  h1/h2  ＜  1.2                                        （１）
但し、
h1：アフォーカル系に入射する近軸軸上光線の高さ
h2：アフォーカル系から射出する近軸軸上光線の高さ
条件式（１）のh1/h2はアフォーカル系における、アフォーカル倍率に関して規定したものである。h1はアフォーカル系に入射する近軸軸上光線の高さ、h2は後アフォーカル系から射出する近軸軸上光線の高さを示す（図１参照）。なお、アフォーカル倍率はh1/h2として定義する。
【００１８】
また、近軸軸上光線とは、光学系全系の焦点距離を１に正規化し、光学系の光軸と平行に、光軸からの高さ１の光を入射させたときの近軸光線である。光線の傾きは任意の区間における光線の高さの差分をその区間の長さで割ったものである。以下物体は光学系の左側にあるものとし、物体側から光学系に入射する光線は左から右へ進むものとして扱う。また、瞳近軸光線とは、光学系全系の焦点距離を１に正規化し、光軸に対して−４５°で入射する光線の内、光学系の入射瞳と光軸との交点を通過する近軸光線である。
【００１９】
光学系への入射角度は、光軸から測って時計回りを正、反時計回りを負とする。条件式（１）の如くh1とh2の比を適切に規定することで、レンズ系の小型化と像面湾曲の敏感度を高くすることを両立することが可能になる。
【００２０】
アフォーカル倍率と小型化の関係に関して説明を行う。アフォーカル倍率が1より大きい時、アフォーカル系は物体側から順に凸凹構成となる。この構成を取ると近軸軸上光線、瞳近軸光線共に調整レンズ群と像面側にあるレンズ群の外径を小さくすることが可能となりコンパクト化に有利となる（図２の近軸軸上光線と瞳近軸光線の移動前を参照）。
【００２１】
一方、アフォーカル倍率が１より小さい時、アフォーカル系は物体側から順に凹凸構成となる（図３の近軸軸上光線と瞳近軸光線の移動前を参照）。この構成を取ると近軸軸上光線、瞳近軸光線共に調整レンズ群より像面側にあるレンズ群は外径が大きくなり望ましくない。また、凸レンズの軸上光線の高さが大きくなり球面収差の発生を抑えるのが困難になるため高画質の画像を得ることが困難になる。
【００２２】
次に、アフォーカル系の光軸方向への移動に対する像面湾曲の敏感度に関して説明を行う。画角ωにおける縦収差としての子午像面湾曲ΔM、球欠像面湾曲ΔSと入射瞳径Rにおける球面収差SA、また３次収差係数Ｉ、ＩＩＩ、Pとはつぎの関係にある。
【００２３】
2016024344.tif 000003
【００２４】
（２）
2016024344.tif 000004
【００２５】
（３）
2016024344.tif 000005
【００２６】
（４）
更に、３次収差係数Ｉ、ＩＩＩ、Pは以下の式によって表わされる。
【００２７】
2016024344.tif 000006
【００２８】
（５）
2016024344.tif 000007
【００２９】
（６）
2016024344.tif 000008
【００３０】
（７）
３次収差係数Pはペッツバール項でレンズ系の各面のパワーφと硝材の屈折率Nにより計算される定数である。また、３次収差係数Ｉ、ＩＩＩに含まれるhは近軸軸上光線が各面を通過する高さを示し、
2016024344.tif 000009
【００３１】
は瞳近軸光線が各面を通過する高さを示す。φは各面のパワーである。ＡとＢはレンズ系を構成する各面の曲率の関数であり条件式（８）（９）で与えられる。ＡとＢに含まれるαは近軸軸上光線が各面を通過する傾きを示し、ｒは各面の曲率である。
2016024344.tif 000010
【００３２】
2016024344.tif 000011
【００３３】
（９）
条件式（５）（６）より、３次収差係数Ｉを変化させずに３次収差係数ＩＩＩを変化させるには近軸軸上光線が各面を通過する高さhを変化させずに、瞳近軸光線が各面を通過する高さ
2016024344.tif 000012
【００３４】
を変化させる必要がある。３次収差係数ＩＩＩのみを変化させることで、撮像面に結像された被写体像の中心性能（球面収差）を変化させずに、被写体像の周辺性能（子午像面湾曲ΔM、球欠像面湾曲ΔS）を変化させることが可能になる。
【００３５】
その方法としてアフォーカル系（調整レンズ群）をリレー部に挿入する方式がある。アフォーカル系を光軸方向に前後に移動させた場合、近軸軸上光線が各面を通過する高さhや傾きα、各面の曲率は変化しないため条件式（２）（５）（７）（８）（９）の値は不変である。
【００３６】
一方、瞳近軸光線が各面を通過する高さ
2016024344.tif 000013
【００３７】
はアフォーカル系を光軸方向に前後に移動させると変化するため条件式（３）（４）（６）の値は変化する（図２の「瞳近軸光線の変化」を参照）。つまり、瞳近軸光線が各面を通過する高さ
2016024344.tif 000014
【００３８】
を変化させることで、子午像面湾曲ΔM、球欠像面湾曲ΔSをコントロールする事が可能となる。
【００３９】
アフォーカル系の光軸方向への移動に対する像面湾曲の敏感度を上げるには、アフォーカル系の移動前における瞳近軸光線の高さ
2016024344.tif 000015
【００４０】
と、フォーカル系の移動後における瞳近軸光線の高さ
2016024344.tif 000016
【００４１】
の差分
2016024344.tif 000017
【００４２】
を大きくするレンズ構成を設定することが重要となる。
【００４３】
この差分
2016024344.tif 000018
【００４４】
を大きくするにはアフォーカル系のアフォーカル倍率を小さくし、瞳近軸光線が調整レンズ群内を通過する時の傾きを大きくする事で達成出来る。h1が大きくなり、h2が小さくなると条件式（１）の上限を超える。その結果、アフォーカル系の凸凹それぞれのパワーが大きくなり球面収差の発生を抑えるのが困難になるため高画質の画像を得る事が困難になる。若しくは、アフォーカル系の凸と凹それぞれのパワーを小さくするために主点間隔を離す必要が生じ、アフォーカル系が大型化する。また、上限を超えるとアフォーカル系の各面を通過する高さの変化
2016024344.tif 000019
【００４５】
が大きくならず、像面湾曲の敏感度が低くなってしまう。その結果、移動スペースを確保する必要が生じレンズ全長が伸びてしまう。
【００４６】
h1が小さくなり、h2が大きくなると条件式（１）の下限である１を下回る。アフォーカル倍率が1になると像面湾曲の敏感度はゼロになってしまう。アフォーカル倍率が１より小さくなると、アフォーカル系が凸凹構成から凹凸構成に逆転することから軸上光線がはね上げられ、調整レンズ群より像側のレンズ群の外径が大きくなる。その結果、近軸軸上光線の高さh2が大きくなり球面収差の発生を抑えるのが困難になるため高画質の画像を得ることが困難になる。
【００４７】
また、以下の条件式を満足することが好ましい。
【００４８】
| α/(σ・Fno) |  ＜  0.4 (1/mm)                             (１０)
但し、
α：アフォーカル系に入射する近軸軸上光線の傾き
σ：撮像装置の許容錯乱円
Fno：撮像装置のWide端におけるFno
条件式（１０）はアフォーカル系に入射する近軸軸上光線の傾きに関して規定したものである。σもしくはFnoが小さくなり、近軸軸上光線の傾きであるαが大きくなると、条件式（１０）の上限を超え、調整レンズ群を用いた像面湾曲調整の際に焦点深度以上に像面位置（バックフォーカス）の変化が大きくなる。その結果、像面湾曲調整の際に像面位置が変化するため被写体像は中心から周辺に渡ってボケてしまう。若しくは、像面位置の変化を補正するために別途に移動群を設ける必要が生じ構成が複雑になる。
【００４９】
また、以下の条件式を満足することが好ましい。
【００５０】
5.6  ＜  (φi・ｄi  ) / fw2  ＜  8.0                         (１１)
但し、
φi：撮像素子の対角の長さ 
di：絞りからアフォーカル系の最も物体側レンズまでの長さ
fw:撮像装置のWide端焦点距離
条件式（１１）はアフォーカル系の配置箇所に関して規定したものである。像面湾曲を大きく変化させ且つ小型化を達成する像面湾曲調整装置を得るには、アフォーカル系を適切な位置に配置する必要がある。
【００５１】
φiが大きくなり、diが大きくなり、fwが小さくなると条件式（１１）の上限を超える。アフォーカル系が絞りから離れるため、軸外光線が各面を通過する高さが高くなる。その結果、調整レンズ群以降のレンズ外径が大きくなってしまい望ましくない。φiが小さくなり、diが小さくなり、fwが大きくなると条件式（１１）の下限を超える。その結果、瞳近軸光線の高さ
2016024344.tif 000020
【００５２】
が低い箇所でアフォーカル系を配置することになるため、移動に対する像面湾曲敏感度が低くなる。その結果、調整レンズ群の調整用の移動スペースを確保する必要が生じレンズ全長が大きくなってしまう。
【００５３】
また、以下の条件式を満足することが好ましい。
【００５４】
4.3  ＜  dl2 / ｄs1  ＜  5.0                                  (１２)
但し、
dl2：リレーレンズ部の長さ
dsl：アフォーカル系の長さ
条件式（１２）はアフォーカル系の長さに関して規定したものである。像面湾曲を大きく変化させ且つ小型化を達成する像面湾曲調整装置を得るには、リレーレンズ部の長さとアフォーカル系の長さを適切にする必要がある。
【００５５】
dl2が大きくなり、ds1が小さくなると条件式（１２）の上限を超え、アフォーカル系が絞りから離れるため、軸外光線が各面を通過する高さが高くなる。その結果、調整レンズ群以降のレンズ外径が大きくなってしまい望ましくない。
【００５６】
dl2が小さくなり、ds1が大きくなると条件式（１２）の下限を超える。アフォーカル系が絞りの位置に近づくため、フォーカル系の各面を通過する高さの変化
2016024344.tif 000021
【００５７】
が大きくならず、像面湾曲の敏感度が低くなってしまう。その結果、調整レンズ群の移動スペースを確保する必要が生じてしまう。
【００５８】
またアフォーカル系より像側に非球面を持つレンズを配置する事が好ましい。レンズの軸外方向の曲率が変わることで、アフォーカル系の移動前後における瞳近軸光線の高さの差分
2016024344.tif 000022
【００５９】
による像面湾曲への変化が大きくなる。
【００６０】
また、フォーカシングレンズの位置を検出する第１検出器、変倍レンズの位置を検出する第２検出器、フォーカス位置とズーム位置の情報に対応した像面湾曲補正情報、よりアフォーカル系の移動量を算出し光軸方向に移動する事が好ましい（図１２参照）。ズームレンズでは変倍に伴って収差が発生することが避けられないのが普通である。特に像面湾曲を補正するために複雑な構成をもったフォーカスレンズを用いる必要があるため、レンズ系の大型化を招いていた。像面湾曲補正情報からアフォーカル系を光軸方向に移動する事で、ズームによらず像面湾曲発生量を任意の量に設定させることが可能となる。そのため像面湾曲を補正するために複雑な構成をもつフォーカスレンズを用いる必要が無くなり、レンズ系の大型化を防ぐことが可能になる。
【００６１】
次にズームレンズの具体的な実施例を示す。いずれの実施例も収差図中にて、軸上色収差図及び倍率色収差図中のe線、g線はそれぞれの波長546nm、436nmに対する収差である。ΔＳはサジタル、ΔＭはメリディオナルである。また、図中のFnoはFナンバー、ωは半画角（°）を示す。表中のｒは曲率半径、ｄはレンズ厚またはレンズ間隔、ndは波長546nmにおける屈折率、νdはアッベ数、*は非球面を示す。非球面は次式で定義される。
【００６２】
2016024344.tif 000023
【００６３】
但し、cは曲率(1/r)、yは光軸からの高さ、Kは円錐係数、A4、A6、A8、A10・・・は各次数の非球面係数である。
【００６４】
（実施例１）
表１はレンズデータ、図４はレンズ断面図、図９は広角端における収差図である。図９の縦収差図は調整レンズ群をシフトする前と、調整レンズ群を物体側に１ｍｍシフトした後を示す。また、各条件式に対応する値を表６に示す。BF(in air)は第47面から像面までのin air距離を示す。
【００６５】
図４において、変倍部であるL1はG1,G2,G3からなる。G1は正の屈折力のレンズ群である。G1の内部のレンズ群G1aを合焦のために繰り出すことにより物体距離0.8mまでの合焦が可能である。G2は変倍用の負の屈折力のバリエータであり、光軸上を像面側へ移動させることにより広角端から望遠端への変倍を行っている。G3は変倍に伴う像面移動を補正するために光軸上を非直線的に移動している。SPは絞りである。
【００６６】
リレー部であるL2は結像作用を有する正の屈折力のレンズ群である。L2は空気間隔を挟んで、正の屈折力を有する前群のサブユニットrfと、正の屈折力を有する後群のサブユニットrrからなる。L2内の空気間隔には、焦点距離変換コンバータ等が挿入されても良い。rrは最も物体側に調整レンズ群であるs1を有し、結像面側に正の屈折力を有するレンズs2を有する。レンズs2内には軸外方向の曲率が小さくなる非球面凸レンズを有している。
【００６７】
Pは色分解ブリズムや光学フィルター等であり、同図ではガラスブロックとして示している。Sは撮像素子であり、CCDやCMOS等が配置される。撮像素子としては例えば２/３インチCCDを用いることができる。撮像装置の許容錯乱円は撮像素子の画素サイズの２倍とする。
【００６８】
実施例１は条件式（１）の下限と条件式（１１）の上限と条件式（１２）の上限を満足しており、像面湾曲を大きく変化させ且つ小型化を図っている。本数値実施例はいずれの条件式も満足しており、調整レンズ群の移動前後で像面位置と球面収差を変えずに、像面湾曲のみを-150μm変化(像高10割、間隔変化1mm)させる事が出来ている。像面湾曲を変化させ且つ小型化を達成する像面湾曲調整装置を得ることが出来ている。
【００６９】
（表１）
単位 mm
面データ
面番号       r        d      nd         vd       有効径
1       -246.922    1.80   1.74950    35.3       78.75
2        232.273    6.64                         77.63
3        465.881    1.80   1.80518    25.4       77.71
4        122.384   13.88   1.60300    65.4       77.28
5       -157.716    7.49                         77.31
6        121.536    7.47   1.49700    81.5       73.98
7       4916.806    0.15                         73.22
8        105.098    6.38   1.60300    65.4       69.54
9        482.600    0.15                         68.49
10         69.519    5.86   1.72916    54.7       65.11
11        158.452  (可変)                         64.35
12*       228.519    0.70   1.88300    40.8       27.84
13         16.094    5.93                         22.70
14       -123.223    6.59   1.80518    25.4       22.38
15        -15.129    0.70   1.75500    52.3       22.02
16         30.692    0.68                         20.35
17         23.413    5.61   1.60342    38.0       20.50
18        -39.635    0.88                         19.94
19        -24.853    0.70   1.83481    42.7       19.87
20       -134.691  (可変)                         19.86
21        -28.312    0.70   1.74320    49.3       21.62
22         46.740    2.80   1.84666    23.8       23.81
23      -2634.956  (可変)                         24.34
24(絞り)    ∞       1.30                         28.05
25        360.024    4.38   1.65844    50.9       29.40
26        -34.891    0.15                         29.73
27         93.089    2.20   1.51633    64.1       30.34
28      -3728.151    0.15                         30.31
29         89.504    6.00   1.51633    64.1       30.24
30        -32.080    1.80   1.83400    37.2       30.10
31       -210.910   35.20                         30.42
32         46.356    6.18   1.48749    70.2       30.39
33        -53.654    0.43                         30.24
34       -103.458    1.00   1.88300    40.8       29.52
35         23.147    7.77   1.49700    81.5       28.80
36       -104.917    0.17                         29.32
37         43.371    4.26   1.50127    56.5       30.58
38       4485.309    1.00   1.80440    39.6       30.51
39        124.450    0.19                         30.43
40*        55.204    5.70   1.58144    40.8       30.61
41       -129.497    4.50                         30.19
42          ∞      33.00   1.60859    46.4       40.00
43          ∞      13.20   1.51680    64.2       40.00
44          ∞      12.26                         40.00
像面        ∞   
非球面データ
第12面
K = 8.58860e+000  A 4= 7.05382e-006  A 6=-1.80303e-008  A 8= 7.49637e-011  A10=-8.01854e-013  A12= 5.80206e-015  
A 3=-4.50041e-007  A 5= 1.66019e-008  A 7=-8.87373e-010  A 9= 1.99340e-011  A11=-1.17115e-013  
第40面
K = 8.64241e-001  A 4= 5.77595e-007  A 6= 2.23623e-009  A 8= 4.08067e-012  A10= 1.99764e-014  A12=-1.69634e-017  
各種データ
ズーム比     20.00 
焦点距離       8.45    16.89    34.29   112.62   168.94  
Fナンバー      1.80     1.80     1.80     1.81     2.70  
画角          33.07    18.03     9.11     2.80     1.86  
像高           5.50     5.50     5.50     5.50     5.50  
レンズ全長   278.04   278.04   278.04   278.04   278.04  
BF            12.26    12.26    12.26    12.26    12.26  
d11            0.66    22.07    36.64    50.54    53.04  
d20           55.23    30.79    13.88     3.50     5.98  
d23            4.40     7.43     9.77     6.25     1.28  
d44           12.26    12.26    12.26    12.26    12.26  
入射瞳位置    50.95   101.89   186.87   470.42   622.49  
射出瞳位置   562.16   562.16   562.16   562.16   562.16  
前側主点位置  59.52   119.31   223.31   606.11   843.32  
後側主点位置   3.81    -4.63   -22.03  -100.36  -156.68  
ズームレンズ群データ
群  始面    焦点距離  レンズ構成長  前側主点位置  後側主点位置
1    1      71.00        51.62        33.02          0.45
2   12     -13.70        21.79         2.59        -11.43
3   21     -42.20         3.50        -0.07         -1.98
4   24      55.59       128.58        60.50       -121.84
単レンズデータ
レンズ  始面  焦点距離
1       1   -158.37
2       3   -204.74
3       4    116.03
4       6    249.88
5       8    220.60
6      10    164.55
7      12    -19.52
8      14     20.66
9      15    -13.27
10      17     25.08
11      19    -36.41
12      21    -23.52
13      22     53.74
14      25     48.30
15      27    175.28
16      29     46.35
17      30    -45.29
18      32     51.90
19      34    -21.22
20      35     38.83
21      37     86.97
22      38   -158.20
23      40     66.94
24      42      0.00
25      43      0.00
（実施例２）
表２はレンズデータ、図５はレンズ断面図、図１０は広角端での収差図である。図１０の縦収差図は調整レンズ群をシフトする前と、調整レンズ群を物体側に１ｍｍシフトした後を示す。また、各条件式に対応する値を表６に示す。BF(in air)は第４７面から像面までのin air距離を示す。
【００７０】
図５において、変倍部であるL1はG1,G2,G3からなる。G1は正の屈折力のレンズ群である。G1の内部のレンズ群G1aを合焦のために繰り出すことにより物体距離0.8mまでの合焦が可能である。G2は変倍用の負の屈折力のバリエータであり、光軸上を像面側へ移動させることにより広角端から望遠端への変倍を行っている。G3は変倍に伴う像面移動を補正するために光軸上を非直線的に移動している。SPは絞りである。
【００７１】
リレー部であるL2は結像作用を有する正の屈折力のレンズ群である。L2は空気間隔を挟んで、正の屈折力を有する前群のサブユニットrfと、正の屈折力を有する後群のサブユニットrrからなる。L2内の空気間隔には、焦点距離変換コンバータ等が挿入されても良い。rrは最も物体側に調整レンズ群であるs1を有し、結像面側に正の屈折力を有するレンズs2を有する。レンズs2内には軸外方向の曲率が小さくなる非球面凸レンズを有している。
【００７２】
Pは色分解ブリズムや光学フィルター等であり、同図ではガラスブロックとして示している。Sは撮像素子であり、CCDやCMOS等が配置される。撮像素子としては例えば２/３インチCCDを用いることができる。撮像装置の許容錯乱円は撮像素子の画素サイズの２倍とする。
【００７３】
実施例２は条件式（１）の上限と実施例（１０）の上限と実施例（１１）の上限と実施例（１２）の下限を満足しており、像面湾曲を大きく変化させ且つ小型化を図っている。本数値実施例はいずれの条件式も満足しており、調整レンズ群の移動前後で像面位置と球面収差を変えずに、像面湾曲のみを-51μm変化(像高10割、間隔変化1mm)させる事が出来ている。像面湾曲を変化させ且つ小型化を達成する像面湾曲調整装置を得ることが出来ている。
【００７４】
（表２）
単位 mm
面データ
面番号       r        d      nd         vd       有効径
1       -246.922    1.80   1.74950    35.3       78.53
2        232.273    6.64                         77.41
3        465.881    1.80   1.80518    25.4       77.49
4        122.384   13.88   1.60300    65.4       77.07
5       -157.716    7.49                         77.10
6        121.536    7.47   1.49700    81.5       73.78
7       4916.806    0.15                         73.01
8        105.098    6.38   1.60300    65.4       69.36
9        482.600    0.15                         68.49
10         69.519    5.86   1.72916    54.7       65.11
11        158.452  (可変)                         64.35
12*       228.519    0.70   1.88300    40.8       27.78
13         16.094    5.93                         22.67
14       -123.223    6.59   1.80518    25.4       22.34
15        -15.129    0.70   1.75500    52.3       21.98
16         30.692    0.68                         20.32
17         23.413    5.61   1.60342    38.0       20.48
18        -39.635    0.88                         19.91
19        -24.853    0.70   1.83481    42.7       19.84
20       -134.691  (可変)                         19.84
21        -28.312    0.70   1.74320    49.3       21.62
22         46.740    2.80   1.84666    23.8       23.81
23      -2634.956  (可変)                         24.34
24(絞り)    ∞       1.30                         28.05
25        360.024    4.38   1.65844    50.9       29.40
26        -34.891    0.15                         29.73
27         93.089    2.20   1.51633    64.1       30.34
28      -3728.151    0.15                         30.31
29         89.504    6.00   1.51633    64.1       30.24
30        -32.080    1.80   1.83400    37.2       30.10
31       -210.910   35.20                         30.42
32         34.777    6.92   1.51633    64.1       30.60
33        -68.017    4.40                         30.25
34        -84.898    1.00   1.88300    40.8       27.29
35         22.555    5.52   1.49700    81.5       26.39
36       -453.353    0.18                         26.61
37         51.522    7.22   1.50127    56.5       27.21
38        -25.615    1.00   1.80100    35.0       27.20
39        -46.544    0.46                         27.76
40*        55.204    2.54   1.58144    40.8       27.14
41        238.967    4.50                         26.81
42          ∞      33.00   1.60859    46.4       40.00
43          ∞      13.20   1.51680    64.2       40.00
44          ∞       5.98                         40.00
像面        ∞   
非球面データ
第12面
K = 8.58860e+000  A 4= 7.05382e-006  A 6=-1.80303e-008  A 8= 7.49637e-011  A10=-8.01854e-013  A12= 5.80206e-015  
A 3=-4.50041e-007  A 5= 1.66019e-008  A 7=-8.87373e-010  A 9= 1.99340e-011  A11=-1.17115e-013  
第40面
K = 8.64241e-001  A 4= 5.77595e-007  A 6= 4.23623e-009  A 8= 4.08067e-012  A10= 1.99764e-014  A12=-1.69634e-017  
各種データ
ズーム比     20.00 
焦点距離       8.45    16.89    34.29   112.62   168.94  
Fナンバー      1.80     1.80     1.80     1.81     2.70  
画角          33.07    18.03     9.11     2.80     1.86  
像高           5.50     5.50     5.50     5.50     5.50  
レンズ全長   274.29   274.29   274.29   274.29   274.29  
BF             5.98     5.98     5.98     5.98     5.98  
d11            0.66    22.07    36.64    50.54    53.04  
d20           55.23    30.79    13.88     3.50     5.98  
d23            4.40     7.43     9.77     6.25     1.28  
d44            5.98     5.98     5.98     5.98     5.98  
入射瞳位置    50.95   101.89   186.87   470.42   622.49  
射出瞳位置   650.56   650.56   650.56   650.56   650.56  
前側主点位置  59.50   119.23   222.99   602.73   835.70  
後側主点位置  -2.47   -10.91   -28.31  -106.64  -162.96  
ズームレンズ群データ
群  始面    焦点距離  レンズ構成長  前側主点位置  後側主点位置
1    1      71.00        51.62        33.02          0.45
2   12     -13.70        21.79         2.59        -11.43
3   21     -42.20         3.50        -0.07         -1.98
4   24      54.44       131.11        58.55       -125.36
単レンズデータ
レンズ  始面  焦点距離
1       1   -158.37
2       3   -204.74
3       4    116.03
4       6    249.88
5       8    220.60
6      10    164.55
7      12    -19.52
8      14     20.66
9      15    -13.27
10      17     25.08
11      19    -36.41
12      21    -23.52
13      22     53.74
14      25     48.30
15      27    175.28
16      29     46.35
17      30    -45.29
18      32     45.45
19      34    -19.98
20      35     43.27
21      37     35.09
22      38    -72.18
23      40    122.13
24      42      0.00
25      43      0.00
（実施例３）
表３はレンズデータ、図６はレンズ断面図、図１１は広角端での収差図である。図１１の縦収差図は調整レンズ群をシフトする前と、調整レンズ群を物体側に１ｍｍシフトした後を示す。また、各条件式に対応する値を表６に示す。BF(in air)は第４４面から像面までのin air距離を示す。
【００７５】
図６において、変倍部であるL1はG1,G2,G3からなる。G1は正の屈折力のレンズ群である。G1の内部のレンズ群G1aを合焦のために繰り出すことにより物体距離0.8mまでの合焦が可能である。G2は変倍用の負の屈折力のバリエータであり、光軸上を像面側へ移動させることにより広角端から望遠端への変倍を行っている。G3は変倍に伴う像面移動を補正するために光軸上を非直線的に移動している。SPは絞りである。
【００７６】
リレー部であるL2は結像作用を有する正の屈折力のレンズ群である。L2は空気間隔を挟んで、正の屈折力を有する前群のサブユニットrfと、正の屈折力を有する後群のサブユニットrrからなる。L2内の空気間隔には、焦点距離変換コンバータ等が挿入されても良い。rrは最も物体側に調整レンズ群であるs1を有し、結像面側に正の屈折力を有するレンズs2を有する。レンズs2内には軸外方向の曲率が小さくなる非球面凸レンズを有している。
【００７７】
Pは色分解ブリズムや光学フィルター等であり、同図ではガラスブロックとして示している。Sは撮像素子であり、CCDやCMOS等が配置される。撮像素子としては例えば２/３インチCCDを用いることができる。撮像装置の許容錯乱円は撮像素子の画素サイズの２倍とする。
【００７８】
実施例３は条件式（１１）の下限を満足しており、像面湾曲を大きく変化させ且つ小型化を図っている。本数値実施例はいずれの条件式も満足しており、調整レンズ群の移動前後で像面位置の変化を焦点深度(17μm)と同等とし、像面湾曲を-507μm変化(像高10割、間隔変化1mm)させる事が出来ている。像面湾曲を変化させ且つ小型化を達成する像面湾曲調整装置を得ることが出来ている。
【００７９】
（表３）
単位 mm
面データ
面番号       r        d      nd         vd       有効径
1       -255.551    2.50   1.74000    31.7       80.99
2        116.017    3.32                         76.20
3        159.478   10.66   1.43875    95.0       75.94
4       -169.489    5.96                         75.74
5        131.149    2.20   1.61340    44.3       74.39
6         75.618    0.02                         72.51
7         75.377   12.37   1.43875    95.0       72.52
8       -525.485    0.15                         72.12
9         93.787   10.38   1.60300    65.5       69.57
10       -299.831    0.15                         69.11
11         54.733    5.40   1.72916    54.7       62.01
12         92.732  (可変)                         61.14
13         48.885    0.90   1.88300    40.8       24.04
14         17.522    4.68                         20.45
15        -53.332    0.80   1.81600    46.6       19.89
16         25.118    4.28                         18.51
17         28.654    4.15   1.81786    23.7       18.21
18        -53.487    0.59                         17.54
19        -34.766    0.80   1.77250    49.6       17.32
20         88.499  (可変)                         17.03
21        -27.616    0.90   1.77250    49.6       18.15
22         43.086    2.42   1.84666    23.9       19.74
23       -481.564  (可変)                         20.21
24(絞り)    ∞       1.10                         24.85
25        231.826    3.56   1.51742    52.4       25.93
26        -46.618    0.20                         26.47
27        168.010    3.04   1.51742    52.4       27.38
28        -81.919    0.20                         27.59
29         69.136    6.07   1.51742    52.4       27.79
30        -30.903    1.30   1.81600    46.6       27.66
31       -320.915  (可変)                         28.03
32         41.401    6.41   1.48749    70.2       30.49
33        -59.698    0.48                         30.18
34        253.531    0.85   1.88300    40.8       28.50
35         18.238    7.17   1.49700    81.5       26.32
36      -2568.403    0.48                         26.40
37         35.263    5.77   1.50127    56.5       26.64
38        -54.560    0.85   1.80100    35.0       26.47
39        181.463    0.47                         26.59
40*        47.011    5.87   1.51742    52.4       27.00
41        -72.828    3.83                         26.72
42          ∞      28.10   1.60859    46.4       34.06
43          ∞      11.24   1.51680    64.2       34.06
44          ∞      11.99                         34.06
像面        ∞   
非球面データ
第40面
K = 8.64241e-001  A 4= 9.35292e-007  A 6= 4.99332e-009  A 8= 1.25647e-011  A10= 8.48181e-014  A12=-9.93190e-017  
各種データ
ズーム比     15.00 
焦点距離       8.67    17.35    34.70    69.39   130.11  
Fナンバー      1.70     1.70     1.70     1.70     2.10  
半画角        32.38    17.59     9.01     4.53     2.42  
像高           5.50     5.50     5.50     5.50     5.50  
レンズ全長   248.11   248.11   248.11   248.11   248.11  
BF            11.99    11.99    11.99    11.99    11.99  
d12            0.80    19.24    31.64    39.85    44.35  
d20           44.49    23.25     9.39     3.47     6.23  
d23            6.20     8.99    10.45     8.17     0.90  
d31           25.00    25.00    25.00    25.00    25.00  
d44           11.99    11.99    11.99    11.99    11.99  
入射瞳位置    53.37   101.62   178.60   301.93   464.49  
射出瞳位置   783.67   783.67   783.67   783.67   783.67  
前側主点位置  62.14   119.35   214.86   377.56   616.54  
後側主点位置   3.31    -5.36   -22.71   -57.40  -118.12  
ズームレンズ群データ
群  始面    焦点距離  レンズ構成長  前側主点位置  後側主点位置
1    1      64.00        53.11        32.49         -0.47
2   13     -14.40        16.20         2.84         -9.68
3   21     -41.00         3.32        -0.17         -1.99
4   24      42.31        15.47         2.79         -7.58
5   32      44.24        71.53        11.19        -38.58
単レンズデータ
レンズ  始面  焦点距離
1       1   -106.72
2       3    188.67
3       5   -294.04
4       7    150.82
5       9    119.23
6      11    172.05
7      13    -31.17
8      15    -20.72
9      17     23.12
10      19    -32.07
11      21    -21.56
12      22     46.35
13      25     75.00
14      27    106.39
15      29     41.96
16      30    -41.78
17      32     51.04
18      34    -22.16
19      35     36.37
20      37     43.49
21      38    -51.93
22      40     55.90
23      42      0.00
24      43      0.00
（実施例４）
表４はレンズデータ、図７はレンズ断面図、図１２は広角端での収差図である。図１２の縦収差図は調整レンズ群をシフトする前と、調整レンズ群を物体側に１ｍｍシフトした後を示す。また、各条件式に対応する値を表６に示す。BF(in air)は第４４面から像面までのin air距離を示す。
【００８０】
図７において、変倍部であるL1はG1,G2,G3からなる。G1は正の屈折力のレンズ群である。G1の内部のレンズ群G1aを合焦のために繰り出すことにより物体距離0.8mまでの合焦が可能である。G2は変倍用の負の屈折力のバリエータであり、光軸上を像面側へ移動させることにより広角端から望遠端への変倍を行っている。G3は変倍に伴う像面移動を補正するために光軸上を非直線的に移動している。SPは絞りである。
【００８１】
リレー部であるL2は結像作用を有する正の屈折力のレンズ群である。L2は空気間隔を挟んで、正の屈折力を有する前群のサブユニットrfと、正の屈折力を有する後群のサブユニットrrからなる。L2内の空気間隔には、焦点距離変換コンバータ等が挿入されても良い。rrは最も物体側に調整レンズ群であるs1を有し、結像面側に正の屈折力を有するレンズs2を有する。レンズs2内には軸外方向の曲率が小さくなる非球面凸レンズを有している。
【００８２】
Pは色分解ブリズムや光学フィルター等であり、同図ではガラスブロックとして示している。Sは撮像素子であり、CCDやCMOS等が配置される。撮像素子としては例えば２/３インチCCDを用いることができる。撮像装置の許容錯乱円は撮像素子の画素サイズの２倍とする。
【００８３】
実施例４は像面湾曲を大きく変化させ且つ小型化を図っている。本数値実施例はいずれの条件式も満足しており、調整レンズ群の移動前後で像面位置の変化を焦点深度(17μm)と同等とし、像面湾曲を-617μm変化(像高10割、間隔変化1mm)させる事が出来ている。像面湾曲を変化させ且つ小型化を達成する像面湾曲調整装置を得ることが出来ている。
【００８４】
（表４）
単位 mm
面データ
面番号       r        d      nd         vd       有効径
1       -255.551    2.50   1.74000    31.7       83.73
2        116.017    3.32                         78.66
3        159.478   10.66   1.43875    95.0       78.44
4       -169.489    5.96                         78.12
5        131.149    2.20   1.61340    44.3       76.46
6         75.618    0.02                         74.48
7         75.377   12.37   1.43875    95.0       74.49
8       -525.485    0.15                         74.22
9         93.787   10.38   1.60300    65.5       70.96
10       -299.831    0.15                         70.23
11         54.733    5.40   1.72916    54.7       60.95
12         92.732  (可変)                         59.96
13         48.885    0.90   1.88300    40.8       24.51
14         17.522    4.68                         20.75
15        -53.332    0.80   1.81600    46.6       20.35
16         25.118    4.28                         18.89
17         28.654    4.15   1.81786    23.7       18.57
18        -53.487    0.59                         17.92
19        -34.766    0.80   1.77250    49.6       17.71
20         88.499  (可変)                         17.07
21        -27.616    0.90   1.77250    49.6       17.81
22         43.086    2.42   1.84666    23.9       19.32
23       -481.564  (可変)                         19.80
24(絞り)    ∞       1.10                         24.34
25        231.826    3.56   1.51742    52.4       25.38
26        -46.618    0.20                         25.95
27        168.010    3.04   1.51742    52.4       26.81
28        -81.919    0.20                         27.03
29         69.136    6.07   1.51742    52.4       27.22
30        -30.903    1.30   1.81600    46.6       27.07
31       -320.915  (可変)                         27.43
32         40.281    6.45   1.48749    70.2       30.42
33        -59.764    1.16                         30.10
34        237.297    0.85   1.88300    40.8       27.98
35         17.959    7.09   1.49700    81.5       25.79
36       1452.189    0.49                         26.16
37         29.815    6.53   1.50127    56.5       27.60
38        -59.014    0.85   1.80100    35.0       27.42
39        148.751    0.48                         27.38
40*        47.011    4.69   1.51742    52.4       27.64
41        -98.437    3.83                         27.39
42          ∞      28.10   1.60859    46.4       34.06
43          ∞      11.24   1.51680    64.2       34.06
44          ∞      10.58                         34.06
像面        ∞   
非球面データ
第40面
K = 8.64241e-001  A 4= 9.35292e-007  A 6= 4.99332e-009  A 8= 1.25647e-011  A10= 8.48181e-014  A12=-9.93190e-017  
各種データ
ズーム比     15.00 
焦点距離       8.50    17.01    34.02    68.04   127.57  
Fナンバー      1.70     1.70     1.70     1.70     2.10  
半画角          32.89    17.92     9.18     4.62     2.47  
像高           5.50     5.50     5.50     5.50     5.50  
レンズ全長   253.92   253.92   253.92   253.92   253.92  
BF            10.58    10.58    10.58    10.58    10.58  
d12            0.80    19.24    31.64    39.85    44.35  
d20           44.49    23.25     9.39     3.47     6.23  
d23            6.20     8.99    10.45     8.17     0.90  
d31           32.00    32.00    32.00    32.00    32.00  
d44           10.58    10.58    10.58    10.58    10.58  
入射瞳位置    53.37   101.62   178.60   301.93   464.49  
射出瞳位置   230.21   230.21   230.21   230.21   230.21  
前側主点位置  62.21   119.94   217.89   391.05   666.17  
後側主点位置   2.08    -6.43   -23.44   -57.46  -116.99  
ズームレンズ群データ
群  始面    焦点距離  レンズ構成長  前側主点位置  後側主点位置
1    1      64.00        53.11        32.49         -0.47
2   13     -14.40        16.20         2.84         -9.68
3   21     -41.00         3.32        -0.17         -1.99
4   24      42.31        15.47         2.79         -7.58
5   32      44.24        71.76        10.35        -39.86
単レンズデータ
レンズ  始面  焦点距離
1       1   -106.72
2       3    188.67
3       5   -294.04
4       7    150.82
5       9    119.23
6      11    172.05
7      13    -31.17
8      15    -20.72
9      17     23.12
10      19    -32.07
11      21    -21.56
12      22     46.35
13      25     75.00
14      27    106.39
15      29     41.96
16      30    -41.78
17      32     50.26
18      34    -21.92
19      35     36.42
20      37     40.34
21      38    -52.30
22      40     61.90
23      42      0.00
24      43      0.00
（実施例５）
表５はレンズデータ、図８はレンズ断面図、図１３は広角端での収差図である。図１３の縦収差図は調整レンズ群をシフトする前と、調整レンズ群を物体側に１ｍｍシフトした後を示す。また、各条件式に対応する値を表６に示す。BF(in air)は第４７面から像面までのin air距離を示す。
【００８５】
図８において、変倍部であるL1はG1,G2,G3からなる。G1は正の屈折力のレンズ群である。G1の内部のレンズ群G1aを合焦のために繰り出すことにより物体距離0.8mまでの合焦が可能である。G2は変倍用の負の屈折力のバリエータであり、光軸上を像面側へ移動させることにより広角端から望遠端への変倍を行っている。G3は変倍に伴う像面移動を補正するために光軸上を非直線的に移動している。SPは絞りである。
【００８６】
リレー部であるL2は結像作用を有する正の屈折力のレンズ群である。L2は空気間隔を挟んで、正の屈折力を有する前群のサブユニットrfと、正の屈折力を有する後群のサブユニットrrからなる。L2内の空気間隔には、焦点距離変換コンバータ等が挿入されても良い。rrは最も物体側に調整レンズ群であるs1を有し、結像面側に正の屈折力を有するレンズs2を有する。
【００８７】
Pは色分解ブリズムや光学フィルター等であり、同図ではガラスブロックとして示している。Sは撮像素子であり、CCDやCMOS等が配置される。撮像素子としては例えば２/３インチCCDを用いることができる。撮像装置の許容錯乱円は撮像素子の画素サイズの２倍とする。
【００８８】
実施例５は条件式（１）の上限と実施例（１０）の上限と実施例（１１）の上限を満足しており、像面湾曲を大きく変化させ且つ小型化を図っている。本数値実施例はいずれの条件式も満足しており、調整レンズ群の移動前後で像面位置と球面収差を変えずに、像面湾曲のみを+48μm変化(像高10割、間隔変化1mm)させる事が出来ている。像面湾曲を変化させ且つ小型化を達成する像面湾曲調整装置を得ることが出来ている。
【００８９】
（表５）
単位 mm
面データ
面番号       r        d      nd         vd       有効径
1       -246.922    1.80   1.74950    35.3       78.56
2        232.273    6.64                         77.44
3        465.881    1.80   1.80518    25.4       77.52
4        122.384   13.88   1.60300    65.4       77.09
5       -157.716    7.49                         77.12
6        121.536    7.47   1.49700    81.5       73.80
7       4916.806    0.15                         73.04
8        105.098    6.38   1.60300    65.4       69.39
9        482.600    0.15                         68.49
10         69.519    5.86   1.72916    54.7       65.11
11        158.452  (可変)                         64.35
12*       228.519    0.70   1.88300    40.8       27.79
13         16.094    5.93                         22.67
14       -123.223    6.59   1.80518    25.4       22.35
15        -15.129    0.70   1.75500    52.3       21.99
16         30.692    0.68                         20.33
17         23.413    5.61   1.60342    38.0       20.48
18        -39.635    0.88                         19.92
19        -24.853    0.70   1.83481    42.7       19.85
20       -134.691  (可変)                         19.84
21        -28.312    0.70   1.74320    49.3       21.62
22         46.740    2.80   1.84666    23.8       23.81
23      -2634.956  (可変)                         24.34
24(絞り)    ∞       1.30                         28.05
25        360.024    4.38   1.65844    50.9       29.40
26        -34.891    0.15                         29.73
27         93.089    2.20   1.51633    64.1       30.34
28      -3728.151    0.15                         30.31
29         89.504    6.00   1.51633    64.1       30.24
30        -32.080    1.80   1.83400    37.2       30.10
31       -210.910   35.20                         30.42
32         33.320    7.70   1.51633    64.1       30.63
33        -67.406    3.09                         30.11
34       -150.958    1.00   1.88300    40.8       27.51
35         23.193    4.34   1.49700    81.5       26.21
36        116.814    0.20                         26.28
37         53.515    7.50   1.50127    56.5       26.51
38        -22.427    1.00   1.80100    35.0       26.45
39        -58.503    0.49                         27.22
40         55.204    3.42   1.58144    40.8       27.19
41       -176.220    4.50                         26.96
42          ∞      33.00   1.60859    46.4       40.00
43          ∞      13.20   1.51680    64.2       40.00
44          ∞      5.98                          40.00
像面        ∞   
非球面データ
第12面
K = 8.58860e+000  A 4= 7.05382e-006  A 6=-1.80303e-008  A 8= 7.49637e-011  A10=-8.01854e-013  A12= 5.80206e-015  
A 3=-4.50041e-007  A 5= 1.66019e-008  A 7=-8.87373e-010  A 9= 1.99340e-011  A11=-1.17115e-013  
各種データ
ズーム比     20.00 
焦点距離       8.45    16.89    34.29   112.62   168.94  
Fナンバー      1.80     1.80     1.80     1.81     2.70  
画角          33.07    18.03     9.11     2.80     1.86  
像高           5.50     5.50     5.50     5.50     5.50  
レンズ全長   273.78   273.78   273.78   273.78   273.78  
BF             5.98     5.98     5.98     5.98     5.98  
d11            0.66    22.07    36.64    50.54    53.04  
d20           55.23    30.79    13.88     3.50     5.98  
d23            4.40     7.43     9.77     6.25     1.28  
d44            5.98     5.98     5.98     5.98     5.98  
入射瞳位置    50.95   101.89   186.87   470.42   622.49  
射出瞳位置   860.19   860.19   860.19   860.19   860.19  
前側主点位置  59.48   119.12   222.54   597.90   824.83  
後側主点位置  -2.46   -10.91   -28.31  -106.64  -162.95  
ズームレンズ群データ
群  始面    焦点距離  レンズ構成長  前側主点位置  後側主点位置
1    1      71.00        51.62        33.02          0.45
2   12     -13.70        21.79         2.59        -11.43
3   21     -42.20         3.50        -0.07         -1.98
4   24      52.90       130.60        55.91       -121.62
単レンズデータ
レンズ  始面  焦点距離
1       1   -158.37
2       3   -204.74
3       4    116.03
4       6    249.88
5       8    220.60
6      10    164.55
7      12    -19.52
8      14     20.66
9      15    -13.27
10      17     25.08
11      19    -36.41
12      21    -23.52
13      22     53.74
14      25     48.30
15      27    175.28
16      29     46.35
17      30    -45.29
18      32     44.18
19      34    -22.58
20      35     57.18
21      37     32.47
22      38    -45.67
23      40     72.27
24      42      0.00
25      43      0.00
【００９０】
【表６】
2016024344.tif 000024
表６からも明らかなように、実施例１から実施例５の数値は、条件式を満足している。
【００９１】
以上、本発明の好ましい実施形態について説明したが、本発明はこれらの実施形態に限定されず、その要旨の範囲内で種々の変形及び変更が可能である。
【符号の説明】
【００９２】
ｈ１  近軸軸上光線の調整レンズ群における前群での高さ（調整前）、
ｈ２  近軸軸上光線の調整レンズ群における後群での高さ（調整前）、
2016024344.tif 000025
【００９３】
瞳近軸光線の調整レンズ群における前群での高さ（調整前）、
2016024344.tif 000026
【００９４】
２  瞳近軸光線の調整レンズ群における後群での高さ（調整前）、ｈ１’  近軸軸上光線の調整レンズ群における前群での高さ（調整後）、ｈ２’  近軸軸上光線の調整レンズ群における後群での高さ（調整後）、
2016024344.tif 000027
【００９５】
瞳近軸光線の調整レンズ群における前群での高さ（調整後）、
2016024344.tif 000028
【００９６】
瞳近軸光線の調整レンズ群における後群での高さ（調整後）、
Ｌ１  変倍部、Ｌ２  リレーレンズ部、Ｇ１  正の屈折力のレンズ群、
Ｇ１ａ  正の屈折力のレンズ群、Ｇ２  変倍用の負の屈折力のレンズ群、
Ｇ３  変倍に伴う像面移動の補正を行う負の屈折力のレンズ群、
ｒｆ  前群のサブユニット、ｒｒ  後群のサブユニット、ｓ１  調整レンズ群、
ｓ２  正の屈折力を有するレンズ、ＳＰ  絞り、Ｓ  センサー、
Ｐ  色分解ブリズムや光学フィルター等
【図１】
2016024344.tif 000029
【図２】
2016024344.tif 000030
【図３】
2016024344.tif 000031
【図４】
2016024344.tif 000032
【図５】
2016024344.tif 000033
【図６】
2016024344.tif 000034
【図７】
2016024344.tif 000035
【図８】
2016024344.tif 000036
【図９】
2016024344.tif 000037
【図１０】
2016024344.tif 000038
【図１１】
2016024344.tif 000039
【図１２】
2016024344.tif 000040
【図１３】
2016024344.tif 000041
【図１４】
2016024344.tif 000042